(57)【要約】  本願は健康管理方法に関し、とりわけ、患者の健康管理計画の最適化に関連して適用され、遠隔患者の測定、調査等に関連して適用される。目標モジュールは、計画した健康管理目標の達成に協調して向けた、一つ以上の内容セッションを含む。少なくとも一つのフィードバック経路は、計画した健康管理目標の達成に向けた、患者の進捗の傾向を示す、少なくとも一つの入力を提供する。健康管理計画マネージャーは、少なくとも一つの入力及び介入規則に基づき、目標モジュール及び内容セッションのうち、少なくとも一つを動的に構成又は変更する。これにより、計画した健康管理目標に向けた患者の進捗を最適化する。【特許請求の範囲】
【請求項１】
計画された健康管理目標の達成に協調して向けられた、一つ以上の内容セッションを含む、目標モジュール；
前記計画された健康管理目標の達成に向けられた患者の進捗の傾向を示す、少なくとも一つの入力を提供する、少なくとも一つのフィードバック経路；及び
前記計画された健康管理目標に向けられた前記患者の進捗を最適化するために、前記少なくとも一つの入力及び介入規則に基づき、前記目標モジュール及び前記内容セッションのうち、少なくとも一つを動的に構成又は変更する、健康管理計画マネージャー；  
を含む、健康管理システム。
【請求項２】
前記内容セッションの前記（再）構成又は変更に反応した、前記患者の前記傾向を分析し、前記分析に基づいて前記健康管理計画マネージャーは、特定の健康管理目標に向けられた、前記目標モジュール及び前記内容セッションのうち、少なくとも一つのものの最適化された構成を決定する、分析算法を更に含む、請求項１に記載の健康管理システム。
【請求項３】
前記少なくとも一つのフィードバック経路は、生体情報測定装置を含み、前記少なくとも一つの入力は前記生体情報測定装置によって取得された生命徴候の測定値を含む、請求項１に記載の健康管理システム。
【請求項４】
前記少なくとも一つのフィードバック経路は、利用者インターフェースによって提示される少なくとも一つの質問を含む、調査、質疑、試験、又は調査票を含み、前記少なくとも一つの入力は、前記利用者インターフェース経由の、利用者の応答を含む、請求項１に記載の健康管理システム。
【請求項５】
前記傾向は：
所定の閾値を超える、生理的パラメタの測定値；
所定の基準に合致する、前記調査への回答；
所定の基準に合致する、生理的パラメタの測定値；及び
生理的パラメタの測定値であって、前記生理的パラメタの以前の測定値に基づいた動的な閾値を超える、測定値；
のうちの一つを含む、請求項１に記載の健康管理システム。
【請求項６】
患者に対して指定される複数の目標モジュール、ここで前記健康管理計画マネージャーは、前記複数の目標モジュール及び前記複数の目標モジュールの内容セッションのうち、少なくとも一つに対して、追加、削除、及び変更のうち、少なくとも一つを行う
を更に含む、請求項１に記載の健康管理システム。
【請求項７】
前記健康管理計画マネージャーは：
前記目標モジュール又は前記内容セッションに対する変更を自動的に実行する；
健康管理計画の計画者に連絡を取る；並びに
前記目標モジュール又は前記内容セッションに対する変更を自動的に実行する、及び、健康管理計画の計画者に連絡を取る、のうち、所定の基準に基づいて一つの動作を行う；
のうち、一つの動作を行う、請求項１に記載の健康管理システム。
【請求項８】
前記計画者に前記連絡を取ることは：
事前承認のために、前記計画者に、推奨された変更を送ること；及び
前記一つの入力に基づいて状態を示すこと；
のうち、少なくとも一つを含む、請求項７に記載の健康管理システム。
【請求項９】
前記計画者に前記連絡を取ることは、前記計画者に前記変更の優先状態を示す通知を送ることを更に含む、請求項８に記載の健康管理システム。
【請求項１０】
前記内容セッションを提示するように構成された、利用者インターフェース；並びに
（ｉ）前記目標モジュール、及び（ｉｉ）少なくとも一つの患者概略、ここで前記少なくとも一つの患者概略は、前記少なくとも一つの患者概略によって概略を示される患者に、少なくともどの目標モジュールが指定されたかを示す、を格納する、サーバー；
を更に含む、請求項１に記載の健康管理システム。
【請求項１１】
少なくとも前記サーバーと、前記利用者インターフェースと、介入規則機関とを実施する計算機を更に含み、前記少なくとも一つの患者概略は、厳密に一つの患者概略のみから成る、請求項１０に記載の健康管理システム。
【請求項１２】
前記少なくとも一つの患者概略は、複数の患者概略を含み、前記サーバーは、複数の異なる患者に関連する利用者インターフェースと通信し、ここで各々の患者は対応する患者概略によって概略を示される、請求項１０に記載の健康管理システム。
【請求項１３】
前記利用者インターフェースは、前記内容セッションが表示されるテレビを含み、前記少なくとも一つのフィードバック経路は、テレビの遠隔制御装置を含む、請求項１０に記載の健康管理システム。
【請求項１４】
複数の患者と通信する健康管理計画サーバーであって、少なくとも：
健康管理目標の達成に向けられた複数の内容セッション；及び
各々が患者のそれぞれに対応する複数の患者概要；
を格納する健康管理計画サーバー；並びに
前記患者からの少なくとも一つのフィードバック入力及び介入規則に基づき、各々の患者への前記内容セッションの提示を制御するように構成されている健康管理計画マネージャー；
を含む、健康管理システム。
【請求項１５】
前記内容セッションの前記提示に反応した、個々の患者からの前記フィードバック入力を連続的に分析し、前記分析に基づいて前記健康管理計画マネージャーは、特定の健康管理目標に向けられた、前記内容セッションの最適化された構成を決定する、分析算法を更に含む、請求項１４に記載の健康管理システム。
【請求項１６】
複数の生体情報測定装置を更に含み、前記患者からの前記少なくとも一つのフィードバック入力は、前記複数の生体情報測定装置のうち、少なくとも一つの、前記患者を測定している装置によって提供される、請求項１４に記載の健康管理システム。
【請求項１７】
請求項１４に記載の健康管理計画サーバーを含む中央ホスト；及び
各々が前記中央ホストに接続され、前記少なくとも一つのフィードバックを生成し提供することにより、前記健康管理計画マネージャーに、前記提供されたフィードバックに従って前記内容セッションを選択させる、複数の患者局；
を含む、健康管理システム。
【請求項１８】
健康管理目標の達成に向けられた患者の進捗の傾向を示す、少なくとも一つの入力を電子的に受信すること；
前記一つの入力及び介入規則に基づき、目標モジュール及び内容セッションのうち、少なくとも一つを自動的に電子的に構成すること又は変更すること；及び
前記内容セッションを前記患者に提示すること；
を含む、健康管理方法。
【請求項１９】
前記内容セッションの前記提示に反応した前記患者からの前記傾向を分析すること；及び
前記分析に基づいて、特定の健康管理目標に向けられた前記内容セッションの構成を決定することにより、前記特定の健康管理目標の達成を改善すること；
を更に含む、請求項１８に記載の健康管理方法。
【請求項２０】
前記一つの入力は生体情報測定装置により生成される、請求項１８に記載の健康管理方法。
【請求項２１】
前記一つの入力における前記傾向に反応して調査を生成すること；及び
前記調査を、前記患者及び第三者のうち、何れか一つに送ること；
を更に含む、請求項２０に記載の健康管理方法。
【請求項２２】
前記傾向は：
所定の閾値を超える、生理的パラメタの測定値；
所定の基準に合致する、前記調査への回答；
所定の基準に合致する、生理的パラメタの測定値；
生理的パラメタの測定値であって、前記生理的パラメタの以前の測定値に基づいた動的な閾値を超える、測定値；及び
測定された生理的パラメタの傾向の、目標とする生理的パラメタの傾向からの偏差；
のうち、少なくとも一つを含む、請求項２１に記載の健康管理方法。
【請求項２３】
健康管理計画を患者に提供し、前記健康管理計画は一つ以上の目標モジュールを含み、前記目標モジュールの各々は一つ以上の内容セッションを含むようにすること；
前記患者からフィードバックを電子的に受信すること；及び
前記患者から受信した前記フィードバックを、行動モデルへの入力として用い、前記行動モデルは前記患者の進捗を一つ以上の前記目標モジュール内で追跡すること；
を含む健康管理方法。
【請求項２４】
前記行動モデルは、前記患者の進捗が追跡される前記目標モジュールの各々に対する階梯を決定する、請求項２３に記載の健康管理方法。
【請求項２５】
前記階梯を健康管理提供者に報告することを更に含む、請求項２４に記載の健康管理方法。
【請求項２６】
前記患者の健康管理計画の前記行動モデルにおける階梯を決定することを更に含む、請求項２３に記載の健康管理方法。
【請求項２７】
前記行動モデルからの出力に基づき、目標モジュール及び内容セッションのうち少なくとも一つを自動的に電子的に構成すること又は変更することを更に含む、請求項２３に記載の健康管理方法。
【請求項２８】
患者に、一つ以上の目標モジュールを含む健康管理計画を提供し、各目標モジュールは一つ以上の内容セッションを含むようにすること；
前記患者からフィードバックを電子的に受信すること；及び
前記患者から受信した前記フィードバックを用いて、一つ以上の目標モジュールの階梯を評価すること；
を含む健康管理方法。
【請求項２９】
二つ以上の目標モジュールを含む健康管理計画を患者に提供し、各目標モジュールは一つ以上の内容セッションを含むようにすること；及び
前記目標モジュールの各々の、前記階梯は、共通の階梯の連続体に基づき評価されること；
を更に含む、請求項２８に記載の健康管理方法。
【請求項３０】
前記一つ以上の目標モジュールの階梯を用いるために行動モデルを使用する、請求項２８に記載の健康管理方法。
【請求項３１】
前記行動モデルからの出力に基づき、目標モジュール及び内容セッションのうち少なくとも一つを自動的に電子的に構成すること又は変更することをを更に含む、請求項３０に記載の健康管理方法。
【発明の詳細な説明】
【技術分野】
【０００１】
本願は健康管理方法に関する。本願はとりわけ、患者の健康管理計画の最適化に関連して適用され、特にそれを参照して記述する。本願はまた、遠隔患者の測定、調査等に関連して適用される。
【背景技術】
【０００２】
外来患者又は遠隔患者用の健康管理システムは、典型的には、慢性疾患患者と健康管理提供者とを、双方向型の健康管理通信プラットフォームで結ぶ。このプラットフォームは、例えば、患者の家のテレビ又は計算機端末を用いる。まず、患者は登録の過程を経て、このときに最初の健康管理計画が指定される。最初の健康管理計画は、主に、疾病及びその激しさの認定、疾病以外の危険性の認定、及び層別化に基づき指定され、典型的には計画又は予定、目標モジュール、通達、評価、及び介入規則を含む。計画とは、いつ健康管理計画の要素を患者又は健康管理管理者に伝達するかを決定する、予定のことである。目標モジュールは、患者の振る舞いを変更又は教育することに焦点が当てられた健康管理計画の要素である。典型的には、目標モジュールは、映像のような媒体要素の順序集合を含み、また、患者の調査や質疑も含まれる。通達は患者に送られる通信であり、典型的には患者のテレビに送られる。評価は、例えば、患者の状態に関する入力を要求する質問の群である。例えば、多項選択の調査や質疑を送るのは、患者が罹っている何らかの症状を通して、健康管理計画について、患者がどのようにうまくやっているかを判断し、自己健康管理に対する障壁を定め、映像に提供されている情報を患者が理解しているか否かを判断するためである。
【０００３】
典型的には、患者は、家に備えられた健康管理器具を用いて、血圧、心拍数及び体重のような生命徴候を測定する。各患者の生体情報は自動的に、安全なケーブル、電話、又は衛星通信接続によって、監督する健康管理提供者に送られる。健康管理提供者では、患者の健康状態を測定するために、患者から受信したフィードバックに基づき医療検査のためのフラグを設定する。フラグとは、例えば、測定した生命徴候が正常範囲から外れているか否か、調査への回答が、対応を要するかもしれないような、関心を引く項目を含んでいるか否か、といったものである。指定した健康管理計画が最適に効果的では無い場合、臨床医は、典型的には電話で又は来院してもらい患者から得たフィードバックに基づき、健康管理計画／目標モジュールを手で調整する。
【発明の開示】
【発明が解決しようとする課題】
【０００４】
しかし、人手不足と人件費高騰により、このような方法では面倒であるばかりか役に立たない。患者と臨床医との間の対話が足りないからである。
【０００５】
本願は前述の問題等を克服する新規かつ進歩した方法と装置とを提供する。
【課題を解決するための手段】
【０００６】
本発明の一つの観点により、健康管理システムを開示する。目標モジュールは、計画した健康管理目標の達成に協調して向けた、一つ以上の内容セッションを含む。少なくとも一つのフィードバック経路は、計画した健康管理目標の達成に向けた、患者の進捗の傾向を示す、少なくとも一つの入力を提供する。健康管理計画マネージャーは、少なくとも一つの入力及び介入規則に基づき、目標モジュール及び内容セッションのうち、少なくとも一つを動的に構成又は変更する。これにより、計画した健康管理目標に向けた患者の進捗を最適化する。
【０００７】
本発明の別の観点により、健康管理システムを開示する。健康管理計画サーバーは複数の患者と通信し、健康管理目標の達成に向けた少なくとも複数の内容セッションと、複数の患者概略（その各々は各患者に対応する）とを格納する。健康管理計画マネージャーは、患者からの少なくとも一つのフィードバック入力及び介入規則に基づき、各々の患者への内容セッションの提示を制御するように構成されている。
【０００８】
本発明のまた別の観点により、健康管理システムを開示する。健康管理目標の達成に向けた、患者の進捗の傾向を示す、少なくとも一つの入力を、電子的に受信する。目標モジュール及び内容セッションのうちの少なくとも一つは、一つの入力及び介入規則に基づき、自動的に電子的に構成又は変更される。内容セッションは患者に提示される。
【０００９】
本発明の一つの利点は、患者の健康管理計画を、特定の健康管理目標に向けて、動的に調整できるということである。
【００１０】
当業者であれば、以下の詳細な記述を読んで理解すれば、本発明の更なる利点を認識できる。
【発明を実施するための最良の形態】
【００１１】
本発明は種々の部品及び部品の変形並びに種々の工程及び工程の変形によって具体化できる。図は好適な実施例を例示する目的のためだけのものであり、本発明を限定するように解釈するものではない。
【実施例】
【００１２】
図１を参照すると、健康管理システム１０は第１の局１２、第２の局１４、及び中央ホスト１６を含む。第１の局（又は健康管理提供局）１２が置かれるのは、例えば、健康管理提供者のところであり、これは診療所や病院等である。第１の局は端末２０を含む。端末２０の一つの例は個人用計算機であり、これは利用者インターフェースソフトウェアのような適切なソフトウェア２２並びに、中央ホスト１６及び第２の局１４とインターフェースを取るためのハードウェア２４を含む。端末２０は第１のサーバー３０に、インターネット又は他の既知の接続方法によって接続する。
【００１３】
もちろん、健康管理システム１０は、複数の第１の局１２、複数の中央ホスト１６及び複数の第２の局１４を、アプリケーションに適切なように、含むことができると考えられる。
【００１４】
第１の接続４０は第１の局１２と中央ホスト１６との間の接続を提供する。代わりに、第１の局１２は無線局所網（LAN）又は無線広域網（WAN）の無線局でもよい。
【００１５】
第２の局（又は患者局）１４は、利用者（即ち患者）インターフェース４８を含む。利用者インターフェース４８は、患者の住所又は居所に所在する、テレビ５０（又は他の、患者用の表示装置）を含む。利用者インターフェース４８は、セットトップ装置のような、制御モジュール（又は処理装置、算法若しくは他の手段）５２を更に含む。制御モジュール５２はテレビ５０の映像表示器５４とインターフェースを取る。制御モジュール５２は、アナログケーブル、デジタルケーブル、衛星放送、又はデジタル放送のテレビのデータを、標準チャネル周波数に変換して表示する。例えば、標準的なアナログテレビ５０のチャネル番号に合わせて表示する。一つの実施例では、制御モジュール５２は更に、有線又は無線で、従来のアナログテレビ又はデジタルテレビ（DTV）の信号を、ケーブル若しくは衛星放送の提供者又は地元のTV放送局から受信して、DTV表示装置に表示する。制御モジュール５２はまた、中央ホスト１６から第２の接続５６を経由して、デジタル又はアナログのテレビ形式の信号及び患者情報信号のような信号を受信する。第２の接続５６の例は、有線接続、無線接続、衛星接続、光ファイバー接続、等である。
【００１６】
制御モジュール５２は映像表示器５４に切替装置（又は算法若しくは手段）６０経由で接続する。切替装置６０の例は既知の音声／映像（AV）切替装置である。切替装置６０は、映像表示器５４（又はVCR、DVD等）の同調器からのテレビの受信と、中央ホスト１６からの／への患者情報の受信／送信との間の切替を提供する。代わりに、映像表示器５４へのインターフェースを提供するのに適合した、いかなる他の既知の型の入力装置を用いてもよい。
例えば、患者情報信号は、情報、行動等のために映像表示器に表示される情報、指示及び質問を含む。患者情報信号は、映像と音声による健康関連番組、音声番組、映像通達及び音声通達、健康情報又は生体情報の送付の催促、等を含む。例えば、制御モジュール５２は、記憶装置６４を含むことができる。これにより、例えば時間をずらして表示するといった後刻の使用のために、患者情報信号を格納できる。切替装置６０が患者情報信号を送信するように設定された場合には、制御モジュール５２は患者情報信号を記憶装置６４から取得して映像表示器５４へ表示するか、又は受信中の患者情報信号をそのまま転送する。利用者インターフェース４８は、赤外線送受信器６８に信号を供給する遠隔インターフェース装置６６を更に含む。送受信器６８からの信号は制御モジュール５２に送られ、映像表示器５４への映像入力、患者情報の入力等を選択する働きをする。一つの実施例では、遠隔インターフェース装置６６は、家庭娯楽システムでよく用いられているような遠隔制御装置である。別の実施例では、遠隔インターフェース装置６６は、鍵盤やマウスのような計算機入力インターフェース装置である。
【００１７】
続けて図１を参照し更に図２を参照すると、中央ホスト１６は集中型で、個々の機能を提供するサーバーを各種含む。中央ホスト１６のサーバーの例を次に示す：患者映像内容を映像表示器５４に提供する映像サーバー７０；患者の測定値を受信する測定サーバー７２；調査を生成する調査サーバー７４；及び一つ以上の目標モジュール７８を含む健康管理計画サーバー７６、ここで各々の目標モジュールは、特定の患者の健康問題の解決に協調して向けた、一つ以上の内容セッション８０、８２、及びその他を含む。また、中央ホスト１６は分散型で、異なる部品又は下位ホストが異なる機能を提供すると考えることもできる。代わりに、複数の中央ホスト１６があって、複数の第２の局１４を一つ以上の第１の局１２に接続してもよい。次に詳細に記述する通り、健康管理計画マネージャー８４は、種々の基準及び規則に基づき、調査サーバー、測定サーバー、及び健康管理計画サーバーの動作を監督し調整する。例えば、健康管理計画マネージャー８４は、患者の測定値を観測し、患者の調査結果を調べ、健康管理の要求に向けた患者の進捗を判断し、かつ、患者の健康管理計画に変更、追加、又は削除が必要か否かを決定する。例えば、目標モジュール７８又は内容セッション８０、８２の、少なくとも一つに対する、変更、追加、又は削除である。健康管理計画に対する変更を行いうるのは、臨床医若しくは計画者の承認の後で、又は、いくつかの場合には自動的に、健康計画管理マネージャー８４が自動的に行いうるか、及び、別の場合には何らかの所定の基準又は規則に基づいた事前の承認により行いうるかである。一つの実施例では、健康管理計画マネージャー８４は、臨床医に対して、患者又は推論結果の所見から収集したフィードバックを報告する。その報告に基づいて、臨床医は健康管理計画の変更を行う。別の実施例では、健康管理計画マネージャー８４は、健康管理計画の変更を臨床医に対して推薦する。健康管理計画マネージャー８４は、変更が必要であると判断するか、変更を臨床医に推奨した場合には、臨床医に通知を発行する。この通知はその変更の優先状態を示す。優先状態は、例えば、変更の程度、変更の緊急度、変更要求が入力されてからの時間経過、その他に依存してもよい。例えば、優先度のより高い変更要求は、高められた通知手段を持ちうる。
【００１８】
続けて図１を参照すると、第２の局１４は、患者観測装置又は生体情報測定装置８６の集合を含む。生体情報測定装置８６の例は、体重計、血圧計、心電図計、脳電図計、酸素濃度計、脳波測定装置、呼吸観測装置、体温計、等を含む。典型的な変形例では、利用者は家、集合住宅、介護施設、等のような居所に所在し、容易に医療関係者と会うことができない。従って、幾つかの実施例では、生体情報測定装置８６は、簡単に操作できるように、便利に設計されている。例えば、指先に装着する経皮的血中酸素飽和度測定器は、単に測定器の留め具を患者の指先に装着するだけで、血中酸素飽和度と心拍数との両方を測定することができる。生体情報測定装置は無線装置であってもよいし有線装置であってもよい。無線装置の場合は、患者が装着して、生体情報の測定値を連続的に又は時間間隔をおいて中央ホストに通信する。有線装置の場合は、患者は一日に一度乃至何度か用いて測定値等を採取する。それに加えて、又はその代わりに、何らかの測定値は、患者が遠隔インターフェース装置６６を用いて手で入力してもよい。その代わりに、生体情報測定装置８６は、脈拍調整装置や輸液圧出器等に付属の感知器のように、患者の体内に埋め込まれたものでもよい。測定又は手入力で収集された患者のデータは、測定ゲートウェイ８８に渡される。測定ゲートウェイ８８はそのデータを処理及び使用のために、測定サーバー７２に送信する。
【００１９】
他の例示的な利用者インターフェース装置は、個人用計算機（PC）、個人用デジタル補助装置（PDA）、携帯電話、可搬型計算機、自動化音声応答システム等である。従って、映像表示器はそれらに対応する計算機画面であり、可搬型計算機、携帯電話又はPDAのような小型通信装置の画面である。
【００２０】
一つの実施例では、第２の局１４はアンテナのような無線インターフェース９０及び音声／映像（AV）装置９２を含み、これらが第２の局１４に接続を提供する。AV装置９２の例はビデオカセットレコーダー（VCR）、デジタルビデオディスク（DVD）再生器、ケーブルテレビ同調器等である。
【００２１】
中央ホスト１６は中央ホスト端末９８を含む。中央ホスト端末９８は適切なハードウェア１００、ソフトウェア１０２及び通信接続１０４を含む。通信接続１０４により第１の局１２及び第２の局１４との接続が可能となる。
【００２２】
任意で、健康管理システム１０は情報局又は第３の局１１０を含む。第３の局１１０は、第３のサーバー１１４に接続された閲覧端末１１２を用いて、選ばれた家族の一員や選ばれた友人のような、権限を付与した利用者に、患者情報の閲覧を認める。閲覧端末１１２の例は、個人用計算機、制御モジュールを含む映像表示器、PDA、可搬型計算機、携帯電話等である。第３の局１１０から中央ホスト１６への接続は、第３の接続１１６であり、有線又は無線の接続であってよい。
【００２３】
続けて図１を参照し再び図２を参照すると、典型的には、患者は、健康管理システム１０に登録する際に、まず、最初の健康管理計画が査定され指定される。その後、健康管理計画マネージャー８４は、患者のフィードバックに基づき、査定した目標への患者の進捗を評価し、患者に送る対話と内容とを変化させることによって、指定した健康管理計画を調整する。健康管理計画の調整は、進行的、動的、連続的、周期的、要求に応じて、等の方法で行える。より具体的には、健康管理計画は目標モジュール７８に組織化されている。目標モジュール７８の例は内容セッション８０、８２を含む。しかしながら、理解しなければならないのは、典型的には、健康管理計画サーバー７６は、多数の目標モジュール７８を含み、その各々は個別の健康管理目標に向けられているということである。例えば、患者の要求又は臨床医の処方による要求に基づき、異なる目標モジュールを提供してもよい。これらの要求は例えば次のものに向けられている：体重を減らす；喫煙を止める；投薬治療や生体情報測定等のような医療的介入行為を自己管理することを学ぶ；減塩食などの食餌制限を守ることを学ぶ；高繊維食などの食餌制限を守ることを学ぶ；運動を行う；等である。また、典型的な目標モジュール７８は、図示の二つよりも多く、内容セッションを含んでもよい。ある目標モジュール７８における内容セッションの数は様々でありうる。非常に単純な目標モジュールであれば内容セッションは一つだけである。複雑な目標モジュールであれば、内容セッションの数は、５、１０、それより多くなるかもしれない。内容セッションは種々の型の内容を含むことができる。例えば：記録済みの音声／映像内容；文章内容；対話型の調査、質疑、調査票、又は試験内容；記録済みの段階を追った対話型の音声／映像内容；等である。
【００２４】
健康管理計画マネージャー８４は、ある患者又は他の利用者が、その人の個人的な健康管理計画を達成するために努力している（又は努力すべき）個別の健康管理目標に関する内容を配布する。個人に合わせた内容の配布を可能にするために、各患者は関連する患者概略１３０を第２のサーバー４２に格納して備える。本願で用いる「患者」という言葉は、手術、卒中、心不全、又は他の疾患から回復している患者、外来に通院して慢性疾患を治療している患者、等を含む。「患者」という語はまた、健康管理システム１０の他の利用者も含む。即ち、概して健康ではありうるが、健康管理システム１０が支援する健康管理計画に従う他の利用者である。その目的は、良好な健康状態を保つこと、体重を管理すること、骨粗鬆症を避けること、若しくはその他の健康状態を保つこと、又は健康に関連した生活習慣の改善等である。
【００２５】
例示する患者概略１３０は指定の目標モジュール（又は健康管理計画）のリスト１３２を含む。指定の目標モジュールのリスト１３２は、一つ以上の目標モジュール７８を含む。幾つかの実施例では、患者はその患者に指定された目標モジュールしか使うことができない。患者概略１３０は、任意で他の情報を含んでもよい。例えば個人化情報１３４であり、これは名前、住所、診断等を含んでもよい。幾つかの実施例では、個人化情報１３４を用いて、内容セッションを個人化する。例えば、文章で書かれた内容セッションは、名前を入れるタグを含んでもよく、これを、患者概略１３０に含まれる個人化情報１３４に格納されている個人の名前で置き換える。任意で、患者が利用者インターフェース４８から提供する入力、又は、患者と動作するように結合している生体情報測定装置８６が提供する入力を、患者概略１３０の患者記録１３６の部分に格納する。
【００２６】
図１の例示的なシステム１０では、フィードバック経路は、第１のフィードバック経路１４０を含む。第１のフィードバック経路１４０は、利用者が調査サーバー７４に回答の入力を提供できるようにする利用者インターフェース４８を含む。利用者インターフェース４８が提供するフィードバックは、内容が提示する質問に対する回答、又は、調査、質疑、試験、調査票等に対する解答を含んでもよい。フィードバック経路はまた第２のフィードバック経路１４２を含む。第２のフィードバック経路１４２は一つ以上の生体情報測定装置８６を含む。生体情報測定装置８６は患者の生体情報パラメタを測定する。患者の生体情報を測定し、患者の健康に関する調査を検討することによって、健康管理計画マネージャー８４は、患者の健康管理の要求の進捗を判断し、患者の健康管理計画に変更、追加、又は削除を行う必要があるか否かを決定する。例えば、禁煙のための目標モジュールは、体重測定を含んでもよい。患者の体重に増加の兆しが見えたら、目標モジュールを、運動や食餌制限等の体重管理の内容を含むように変更することができる。体重が増え続けて問題になる場合には、目標モジュールは、より強制的な内容を追加するように変更してもよく、及び／又は、臨床医に通知を送って、例えば投薬や通院等、更なる変更が必要か否か決定することもできる。このようにして、患者の健康目標を再評価し、その目標への患者の進捗を最適化する。
【００２７】
例えば、利用者が利用者インターフェース４８を用いて調査に対して一連の回答を提供した場合、健康管理計画マネージャー８４は回答を採点して、患者がその調査でどの程度よく点数を得たかを示す得点を生成してもよい。その得点は次に内容の流れを制御するのに用いる。例えば、患者の得点が低くて内容を理解できていないようであれば、補習の映像を表示する。
【００２８】
更に、健康計画管理マネージャー８４は、患者概略１３０及び介入規則機関（又は算法若しくは他の手段）に基づき健康管理計画１３２を変更する。介入規則機関１５０は、介入規則並びに、フィードバック経路４８、８６、１４０、及び１４２の少なくとも一つ経由で受け取る入力に基づき、目標モジュール７８の内容セッション８０、８２を制御するように構成されている。例えば、介入規則機関１５０は、特定の境界条件に基づき特定の動作の引き金を引くことができるように設定したパラメタに基づき、目標モジュール７８の内容セッション８０、８２を制御するように構成されている。このような境界条件は、患者を健康管理システム１０に登録する際に、及び／又は、医療機関の特定の診療規則によって、事前に決定されている。一つの例は体重介入規則である。これは、患者が決められた基準体重値を２パウンド超過したら、調査を送信し、臨床医が経過を観察するようにフラグを設定し、及び／又は患者に注意の通達を送る。別の例としては、患者の生命徴候は、その患者が登録したときに決めた基準値と自動的に比較される。その結果、患者は測定値について何らかの行動を取らなければならないとなれば、介入規則機関１５０は、しかるべく患者の健康管理計画を修正する。モジュール内規則機関１５２は各目標モジュール７８に関連しており、その目標モジュール７８の内部で、内容セッションから内容セッションへの提示の流れを適切に支配する。任意で、モジュール間規則機関１５４は、一つの目標モジュールからもう一つの目標モジュールへの提示の流れを支配する。例えば、もし例示の目標モジュールが、典型的には体重の増加をもたらす薬を自己投与する指示を提供するならば、その目標モジュールに関連するモジュール間規則機関は、任意で、内容流れ機関に、体重管理の目標モジュールを、その目標モジュールの提示と実質的に並行して又はその後に提示することを要求してもよい。（実質的に並行して提示を行うことは、例えば、その二つの異なる目標モジュールの内容セッションを交互に提示することによって達成しうる。）任意で、患者概略に関連する、患者固有の流れの規則が、内容の流れを支配する。例えば、患者が喫煙者でなければ、その患者固有の流れの規則は、禁煙に関するいかなるセッションも提示を省略するように要求してもよい。患者固有の流れの規則は、目標モジュールに関連する規則を置換できる。また、患者固有の流れの規則は、目標モジュールの規則を補填できる。
【００２９】
例えば、所定の時間間隔で、調査サーバー７４は健康調査を生成する。調査サーバー７４が調査を生成するのは、気分はどうか、異常な生命徴候、臨床的に意味のあるデータ、又は事前に完了した（若しくは時間内に完了しなかった）調査といった、主観的又は客観的なデータに基づく。利用者インターフェース４８により、患者は調査の回答を入力することができる。調査の回答は、第１のフィードバック経路１４０の部分を表現する。第１のフィードバック経路１４０を通って、調査の回答は調査サーバー７４に転送される。
【００３０】
一つの実施例では、調査サーバー７４は、観測された生命徴候の測定データにおける、一つ以上の、引き金を引いた事象に基づき、再帰的な調査を生成する。観測された生命徴候の測定データは、第２のフィードバック経路１４２に含まれ、測定サーバー７２に転送される。測定値は調査サーバー７４に転送される。例えば、患者の心拍が異常な場合は、調査サーバー７４は、心臓について、又は心臓に影響を及ぼしたかもしれない生活習慣の変化といった他の条件について、患者に質問を行うように設計された再帰的な調査を生成する。調査サーバー７４は、動的に、再帰的な調査を誂え、及び／又は、興味の対象を生成した、引き金を引いた事象に即して、事前に作成された質疑応答を用いる。例えば、調査に対する異常な応答を得ると、それを所定の再帰的な調査と比較する。興味の対象は、アプリケーション及び患者によって異なる。しかし、興味の対象は、興味を引くと思われる、患者のいかなる側面をも含む。例えば、あらゆる異常な又は医学的に意味のあるデータ、患者の診断情報、患者の心理的又は肉体的状態を含む。
【００３１】
一つの実施例では、調査は、一連の質問、患者が選択できる回答の候補、及び、一連の質問の順を追うための進路情報を含む。調査の質問は、患者の体重、血圧、脈拍及び／又は他の測定値が、なぜ異常又は予期しない値でありうるのかを探り、診療側の利用者に、患者の状態についての付加的な情報を与える。調査は患者の生理的な測定値に適用する規則により開始し、患者は主観的な質問に回答する。
【００３２】
一つの実施例では、調査は第三者に渡る。例えば家族や介護者等の第三者のほうが、気分の落ち込みのような患者の変化（患者の特定された異常状態の一因かもしれない）に気づくのによりよい位置にいるかもしれないので、このことは有益でありうる。
【００３３】
調査は間歇的に又は定期的に行うことができる。例えば、検診の調査は一週間に何度でも送達できる。他方、より包括的な評価は３ヶ月又は６ヶ月ごとに行ってもよい。健康調査は、患者が罹っているかもしれない症状を判断し、自己健康管理に対する障壁を定め、患者が処方された健康生活規則を遵守しているか否かを判断し、又は映像に提供されている情報を患者が理解しているか否かを判断するのに役立つ。
【００３４】
一つの実施例では、健康管理計画サーバー７６の保守は、管理者が例えば中央ホスト端末９８を用いて行う。管理者は、例えば、目標モジュール及び／又は内容セッションの追加、古い目標モジュール及び／又は内容セッションの削除、目標モジュール及び／又は内容セッションの変更又は更新、内容の流れ又は介入規則の変更又は更新、患者概略の形式の構成、等をしてもよい。患者概略１３０は、患者の主治医又は他の医療関係者が提供する診断又は他の情報に従って適切に保守されている。幾つかの実施例では、医師や看護師のような医療関係者は、第１の局の端末２０を用いて第２のサーバー４２を直接利用することにより、患者概略１３０を生成及び／又は更新できる。別の実施例では、一人以上のシステム管理者が、中央ホスト端末９８を用いて、患者の主治医又は他の医療関係者からの指示に従って、患者概略１３０の全ての生成及び更新を実施する。
【００３５】
前述の通り、利用者インターフェース４８は、内容の提示を無変更及び／又は拡張した形式で行うことができ、並びに、フィードバックを第２のサーバー４２に提供できるなら、実質的にいかなるハードウェアでも採用することができる。例えば、利用者インターフェース４８は、次のようなハードウェアで実施することができる：机上計算機；膝置型計算機；個人用デジタル補助装置（PDA）；携帯電話；インターネット接続機能を統合して含み備え、テレビの遠隔制御装置又は他の入力装置で操作するテレビ；追加のセットトップ装置が提供するインターネット接続機能を備え、テレビの遠隔制御装置、セットトップ装置の遠隔制御装置又は他の入力装置で操作するデジタル又はアナログのテレビ；等。第２のサーバー４２の部品は、様々な方法で実施することができる。例えば集中化計算機又は計算サーバー、机上計算機、等である。幾つかの実施例では、アナログ又はデジタルのテレビのような、既存の教育的内容の提示用ハードウェアを、セットトップ装置で変更又は拡張する。これにより、そのテレビを、インターネット又は他のデジタル網を用いるための利用者インターフェースとして使用することが可能となる。
【００３６】
前述の通り、目標に向けた患者の進捗を見直すことに基づいて、患者の健康管理計画は自動的に調整される。健康管理計画の自動的な変更は、測定した生理的状態や調査の回答等のような、システムが利用するいかなる情報に対してでも反応して行うことができる。また、前述のシステムは、変更が無いことに対して、又は、体重超過の患者が着実に減量しているような、生理的状態の改善の進捗に対しても反応する。このシステムはまた、血圧を５単位下げる、体重を１０パウンド減らす等のような、自己改善計画に沿った途中経過点に反応することもできる。健康管理計画の管理者は、応援又は強化の情報を自動的に送出して、自己改善の現在の進行を継続するように患者を励ます。結果として、通院の回数や入院の期間を減少させる。なぜなら、事象の連鎖の中で、引き金を引く事象を早期に検知し、健康管理計画をそれに応じて修正するからである。
【００３７】
ありうる入力の型（それに基づいて現在の健康計画への変更が企図される）は、システム全般の能力によって決定される。これは次を含むがこれらに限定されない：
-  生命徴候又は他（例えば体重、血圧、歩数計）の測定値。
-  患者による調査票の回答。
-  患者によるシステム上の活動（又は無活動）。
-  臨床医が行った評価。
-  臨床医が設定したパラメタ（例えば目標体重、体重減少率、血圧、運動）。
【００３８】
同様に、健康管理計画及び目標モジュールのありうる出力の型は、システム全般の能力によってのみ決定される。これは次を含むがこれらに限定されない：
-  生命徴候又は他の測定値を採取する予定を決める。
-  調査票の回答期日を決める。
-  映像を視聴する予定を決める。
-  映像を視聴する予定を変更する。
-  患者に通達を送る。
-  強化フィードバックの頻度を上げる／下げる。
-  強化の通達を誂える。
-  臨床医が行う評価の予定を決める。
-  臨床医又は管理者に注意を喚起する。
【００３９】
従って、健康管理計画は、健康管理計画の設計者が所定の規則の集合によって定めたように適応的である。同様に、健康管理計画の全体の集合は層別化の工程（即ち、小規模な適応的な健康管理計画の選択）を通じて適応的である。更に、転帰、活用、活動及び他の代理測定値について健康管理計画の設計者が観察した傾向を、健康管理計画を再計画するために用いてもよい。従ってシステムは、設計者によって大規模に適応的（即ち、より高度な水準で及びより長期間に渡り）である。
【００４０】
一つの実施例では、種々の刺激に対する患者の反応（例えば生命徴候の測定、評価、調査）は、動的システムとして扱われる。非線型モデルも考えられるが、下記では理解を容易にするために線型モデルを説明する。動的システムの方程式の一つの形式は、反応―刺激モデルに対する制約された線型近似をいくつか見つけることであり、内容の選択を、次の制約付最適化問題として扱うものである：
予測（ｔ＋１）＝状態履歴（ｔ）状態（ｔ）＋刺激＿反応（ｔ）刺激（ｔ）
ここで制約は：
-  刺激（ｔ）の要素はこの例では１か０かのどちらかでなければならず、これは特定の内容又は対話が時間ｔに送付されたことを示す。
-  目標状態を知っている。目標状態は状態ベクターの通常の複製を通じての状態の変化の滑らかさ又は他の特性を含みうる。
【００４１】
このようなモデルは、いかなる個別の患者に対しても、刺激の所与の計画（即ち、対話又は内容）を予測するのに用いることができる。また、このようなモデルは、予測した状態が測定された状態と異なる場合、変化に適応することができる。更に、線型化したモデルの選択は非線型の層別化の工程と同一又は同時でありうる。従ってこのシステムは中規模に適応的でもある。
【００４２】
好適な実施例では、分析算法、処理装置、装置又は他の手段１５６は、刺激に対する患者の反応を分析し、変数を更新する。例えば、データベース１５８中の刺激＿反応を、個々の結果の分析によるのみならず、集団に基づいたシステムの結果の分析によって更新する。例えば、刺激に対する反応が、この特定の反応をこの特定の集団切片について引き起こすことになる可能性を、その反応と過去の「実験」との比較に基づいて更新する。介入規則機関１５０は介入規則を更新し、健康管理計画マネージャー８４は、内容セッションの動的な調整に適用する最も可能性の高い刺激を選択する。
【００４３】
続けて図２を参照し更に図３を参照すると、健康管理システム１０の部品の、比較的集中化した変形例において、第２のサーバー４２は、少なくとも、対応する映像サーバー７０、測定サーバー７２、調査サーバー７４及び健康管理計画サーバー７６を含む。第２のサーバー４２は集中化したサーバーであり、前述の方法で、第２の局１４１、１４２、１４３、...、１４ｎの場所にいる複数の患者の役に立つ。各々の患者は対応する個人化した患者概略１３０１、１３０２、１３０３、...、１３０ｎを備える。患者と、遠隔の集中化した第２のサーバー４２との間の通信は、有線又は無線の網接続５６で行う。例えば、網接続５６は無線又は有線の安全な高速インターネット接続でありうる。網接続５６は好都合には安全な接続である。網接続５６を経由して秘密の医療情報を伝達するかもしれないからである。しかし、安全でない接続を使うこともできる。いくつかの実施例では、一人の患者は一つ以上の利用者インターフェースを持ってもよい。例えば、第２のサーバー４２が高速インターネット接続で利用できるなら、利用者は第２のサーバー４２を次の装置で用いてもよい：患者の家庭の計算機；個人用デジタル補助装置（PDA）；インターネット接続可能な携帯電話；インターネット接続機能を統合して含み備え、テレビの遠隔制御装置で操作するテレビ；追加のセットトップ装置が提供するインターネット接続機能を備え、テレビの遠隔制御装置で操作するテレビ；又は他のインターネットを利用可能な装置。第２のサーバー４２がケーブルテレビ網、携帯電話網、等で利用可能なら、利用者は第２のサーバー４２を、それぞれケーブルテレビ、携帯電話、等で利用することができるかもしれない。
【００４４】
続けて図２を参照し更に図４を参照すると、健康管理システム１０の部品の、比較的脱集中化した変形例において、第２のサーバー４２（少なくとも、対応する映像サーバー７０、測定サーバー７２、調査サーバー７４及び健康管理計画サーバー７６を含む）並びに利用者インターフェース４８は、患者用計算機１６０、個人用デジタル補助装置（PDA）、又は他のデジタル電子装置（患者の居所に配置してあるもの、患者が携帯するもの、若しくは他の手段で患者が容易に利用できるもの）によって実施される。個人化した教育内容は、第１の局の端末２０から、ケーブル又は衛星のテレビ網、携帯電話網、インターネット、その他経由で、患者用計算機１６０、高機能テレビ、ＰＤＡ、携帯電話、又は他の装置に受信して取り込むことができる。任意で、中央ホスト端末９８は、例えば、病院用計算機と患者用計算機１６０との間で安全なインターネット接続をも含んでもよい。この接続によって、患者の応答又は生体情報データを、医師又は病院に、毎日、毎週又は他の周期で送る。図４の実施例においては、健康管理システム１０の完全な個人化した事例が患者に提供されるので、典型的には、その居所にいる一人の患者に対応する、単一の患者概略１３０のみが存在する。更に、図４の脱集中化した変形例においては、複数の患者の各々は、その人に個人化した健康管理システム１０（その人の個人化した患者概略を含むことになる）の事例を持つことになると考えられる。
【００４５】
図３及び図４に示す、健康管理システム１０の部品の集中化及び脱集中化の変形例又は配置は、説明用の例である。他の変形例を用いることもできる。例えば、いくつかの実施例では、第２のサーバー４２のいくつかの部分は集中化したサーバー計算機に存してもよく、他方、第２のサーバー４２のいくつかの別の部分は患者用計算機に存してもよい。例えば、第２のサーバー４２は、病院又は他の集中化した場所にある、集中化したサーバー計算機に位置してもよく、複数の患者用の内容セッション及び患者概略を格納してもよい。しかしまた、介入規則機関１５０は、患者の居所に位置する患者用計算機に受信して取り込み実行する、実行可能プログラムであってもよい。いくつかの実施例では、第２のサーバー４２の部分の複写又はその部分が、集中化したサーバー計算機と患者用計算機との両方に存してもよい。この後者の変形の例として、患者の生体情報の測定値を、患者が容易に利用できるように、患者用計算機に格納してもよく、かつ、医師が調べるために、集中化したサーバー計算機に転送してもよい。
【００４６】
図５を参照すると、典型的な教育用目標モジュール１９８を提示する内容の流れを示す。例示の目標モジュール１９８は４個の内容セッション（２００、２０２、２０４、２２４）を含む。第１の内容セッションは導入セッション２００である。第２の内容セッションは患者が視聴する教育映像２０２を提供する。第３の内容セッションは補習教育映像２０４のセッションである。導入である第１の内容セッション２００が最初に提示される。これは例えば、患者に目標モジュールを導入する文章及び任意の画像又は映像を提示してもよく、患者にこの目標モジュールは何を対象とするのかの下見を提供してもよい。教育映像２０２を次に提示する。教育映像２０２は、例えば、一つの機器を使うための段階を追った対話的な取扱説明を提供してもよい。提示の後で、不活動下位部分２０８（後で詳述する）において利用者が教育映像を視聴したと推論されれば、利用者には調査２１０が提示される。調査２１０は、例えば、２０２のセッション中に提示された教材に関する質問を含んでもよい。回答が肯定的であれば、合格点か否かの判定２２２において、利用者はその機器の扱い方を成功裡に学習したと推論してもよい。従って、次に患者に強化の通達２２４を提示する。これは祝福又は激励の文章又は映像の通達を含んでもよい。他方、患者が合格点に達しなかった場合は、合格点か否かの判定２２２において、利用者はその機器の扱い方をうまく学習できなかったと推論してもよい。従って、利用者に補習教育映像２０４を提示する。
【００４７】
補習教育映像２０４を提示すると、機器の指導をよりゆっくり、より詳細な方法で繰り返す。補習教育映像２０４への移行は、任意で、患者には気づかれなくてもよい。この場合患者は、補習教育映像２０４の機器の指導のセッションは先の教育映像２０２のセッションから連続しているように感じるかもしれない。このように、移行を気づかれないように行うと、補習の指導が必要だと言われるとやる気を失うかもしれない患者には有益でありうる。
【００４８】
補習教育映像２０４の提示の後で、利用者に第２の調査２３４を提示する。第２の調査２３４は、例えば、質問票であってもよい。その得点は、患者が取扱説明をどの程度よく理解したかを示す。患者が充分に高い得点を得たなら、合格点か否かの判定２３６において、利用者は教育目標モジュールの教育目標を成功裡に達成したと推論する。従って、利用者は強化の通達２２４を受け取る。これは祝福又は激励の文章又は映像の通達を含んでもよい。他方、患者の得点が合格点より低かった場合、合格点か否かの判定２３６において、利用者はまだ教育目標を達成していないと推論してもよい。従って、２４２で臨床医は不合格フラグを受け取る。内容の流れは２４４で終了する。
【００４９】
図６を参照すると、生命徴候の測定の目標モジュール２９８のための内容の流れの例を示す。第１の内容セッションは導入セッション３００である。ここでは映像を提示して患者に話題を導入し、例えば血圧を測定するといった達成すべき目標を同定する。導入セッション３００の直後に、実際の測定３１２を、生体情報測定装置８６を用いて行う。
【００５０】
生体情報の測定３１２に基づき、範囲内か否かの判定３１６は、測定値が適正な範囲に収まっているか否か判定する。収まっていれば、毎日繰り返すことの催促３１８を提示し、患者に生命徴候の測定のセッションを毎日繰り返すように催促する。このモジュールは３２０で終了する。他方、範囲内か否かの判定３１６において測定値が適正な範囲内ではないと推論した場合、患者に調査３２２を提示する。調査３２２は、測定値が範囲外となった原因でありうる理由を特定することに向けられた質問を含んでもよい。合格点か否かの判定３２４において、患者が合格点に達した場合、毎日繰り返すことの催促３１８の内容セッションを提示する。合格点か否かの判定３２４において、患者が合格点に達しない場合、３２６で臨床医は不合格フラグを受け取る。
【００５１】
図７を参照すると、目標モジュール１９８の不活動下位部分２０８を示す。判定４００において、患者が映像を視聴したと推論した場合、不活動下位部分２０８は４０２で終了する。判定４００において、患者が映像を視聴していないと推論した場合、患者に調査４１０を提示する。判定４１２において、調査の結果を得たと推論し、かつ、判定４１４において、患者には映像を視聴しない充分な理由があると推論した場合、４１６で臨床医は低優先度のフラグを受け取り、目標モジュール１９８の不活動下位部分２０８は４０２で終了する。判定の工程４１２において、調査の結果を得ていないと推論した場合、４２０で臨床医は高優先度のフラグを受け取る。目標モジュール１９８の不活動下位部分２０８は４０２で終了する。判定４１４において、患者には映像を視聴しない充分な理由がないと推論した場合、同様に４２０で臨床医は高優先度のフラグを受け取る。
【００５２】
目標モジュールを健康管理計画マネージャーで用いる利点は、患者の目標に基づいて、複数のモジュールを混合し適合できることである。健康管理計画を目標モジュールに基づく方法で使用する場合、各々の目標モジュールは、特定の狭い健康目標を達成するために狭く的を絞ることができる。目標モジュールは健康管理システムの保守を単純化する。
【００５３】
本発明の別の観点で、いくつかの実施例で体現されているものは、行動モデルを、目標モジュール７８又は内容セッション８０、８２のうち、一つ以上に埋め込むことである。行動モデルを用いることにより、患者の現在の行為を理想的な行動に対照することに基づいて、及び、理想的な行動を達成するための能力の認識に基づいて、患者の評価を行うことができるようになる。この点で、患者の進捗の主観的な分析を、行動モデルの観点で患者がどこに位置するのかとの関係で、より客観的に観察することができる。
【００５４】
いくつかの実施例では、行動モデルは目標を達成する能力に基づく。ここで能力は、患者が持つ正しい健康行動の知識（Ｋ）と、患者が目標を達成する動機（Ｍ）と、目標は達成できるという患者の確信（Ｃ）との積として定義される。これを患者のＫＭＣということができる。個別の健康目標各々について、現在の状態の患者の評価と、理想的な健康状態を達成するためのＫＭＣとは、患者を、行動変化連続体における位置に写像することになる。使用できる行動変化モデルは複数存在する。単なる一つの例として、プロチャスカとデクレメンテにより開発された、行動変化の超理論モデル（ＴＴＭ）を用いることができる。ＴＴＭにおいては、少なくとも５階梯が描写されている。これは次を含む：考慮前；考慮；準備；実行；及び保守。例えば逆行、不安、又は放棄等の他の階梯もＴＴＭに追加することができる。あるいは、異なる数の階梯を備える異なるモデルを使用することもできる。
【００５５】
行動モデルの階梯は、特定の目標モジュール７８の中の一つ以上の内容セッションで定義することができる。いくつかの実施例又はある健康管理計画では、行動モデルは複数の目標モジュールを跨ることができる。すなわち、行動モデルの階梯は、目標モジュール７８の集合の各々における、一つ以上の内容セッション８０、８２によって定義される。更に、いくつかの実施例では、複数の目標モジュール７８は対応する行動モデル（行動の階梯を含む）を備え、他方、全般の健康管理計画は全般の行動モデル及び対応する行動の階梯を備える。
【００５６】
患者が目標モジュールの種々の内容セッション８０、８２を通過するにつれ、基準の集合を用いて、行動モデルと対照して活動がどのように進んでいるかを判定することができる。行動モデルの階梯を判定するために、多くの要因を用いることができる。要因は次を含むがこれらに限定されない：内容セッションの完了；一つ以上の内容セッションを完了するのに要した時間；健康管理計画を使用する時間間隔；会話において介護者によって直接もたらされた質問のフィードバック又は回答；内容セッション中での質疑又は調査；内容セッション中に採取した医療測定データ；他の目標モジュールにおける対応する要素；健康管理提供者からのフィードバック；及び身体に装着した測定器からのフィードバック。これらの要因に基づき、行動モデルは、特定の目標モジュールにおける階梯及び／又は全般の健康管理計画における階梯を決定する。例えば、フィードバックは、ＴＴＭ行動モデルを通して一旦処理されると、患者は第１の目標モジュールの考慮階梯にあり、第２の目標モジュールの準備階梯にあることを示してもよい。全般の健康管理計画の行動モデルも用いられる場合には、考慮階梯であると決定してもよい。より多くの内容セッションが完了し、及び／又は他の基準が変化するにつれ、各目標モジュール及び健康管理計画の行動モデルの階梯も同様に変化することになる。
【００５７】
前述の行動モデルを用いる場合、健康管理計画の提供者は、患者が希望の健康状態を達成することを助けるために健康管理計画を適応させることができる。健康管理計画を変更できる方法は、前述の方法を含む。更に、健康管理計画の提供者は、各々の目標モジュールにおいて又は健康管理計画全体の中で、患者の進捗を容易に判断することができる。システムはまた、種々の内容セッションを通じて、患者の進捗を追跡することもできる。例えば、内容セッション１、２及び３は終了して、内容セッション４、５、６、及び７が残っている（あるいは、７個のセッション即ち目標モジュールを同時に走らせることができる）のように。しかし、このような報告システムでは、健康管理提供者からの迅速な評価を可能とする、充分に一般的な最新状態を提供できるとは限らない。健康管理提供者は、健康管理計画の策定に深く関与した訳ではなく、従って、完了した内容セッションの重要度を理解しているとは限らないからである。更に、前述の通り、内容セッションの完了の他にも、より多くの要因を、階梯の評価に含むことが望ましいかもしれない。例えば、患者がある数の内容セッションを完了したが、セッションを完了するのに想定よりも５倍長い時間がかかっている場合、このような動作は、知識、動機、及び／又は確信の不足を示しうる。従って、この患者は、同じ数の内容セッションを、想定の割り当て時間に近い時間で完了した患者とは、異なる階梯にあると判断してもよい。患者の行為／状態を測る別の例は、各々の目標モジュールの各々の階梯において、患者の結果を数値で得点をつけることであろう。これにより患者の状態をより細粒度で理解することができる。行動モデルを使用することにより、統一的な階梯の表示が行えることになり、これにより健康管理提供者による容易な検討と解釈が可能となる。
【００５８】
患者に対する結果は非常に精確で詳細な水準まで追跡されることになる。これにより、目標モジュールの水準（内容の有効性を理解する）、患者の水準（行動状態及び次の階梯を理解する）、看護師の水準（指導の技術を理解する）、部分集団の水準（健康管理計画の策定の有効性を理解する）、及び集団の水準（全般の健康管理計画を理解する）で、計画開始時からの絶対的な変更の測定を可能とする。健康管理提供者が、どの技術／内容が効果的であり、どの技術／内容が効果的でないかを学習するにつれ、健康管理提供者はその能力を用いて患者への介入を再設計し再運用することができる。これにより継続的に結果を改善する。
【００５９】
前述の概念の更なる詳細化として、システムは患者の自動化した評価を患者利用者インターフェースを用いて実行してもよい。患者の入力に基づいて、新しい健康管理計画が必要である（例えば、患者が、既往の心不全の診断に加えて、今度は新しく肥満と診断された）とシステムが計算すると、心不全と肥満の両方の症状に対処する健康管理計画に切り替えることによって、全体の健康管理計画は自己適応的でありうる。
【００６０】
本発明は好適な実施例を参照して記述した。前述の詳細な記述を読んで理解すれば、他人が変更及び変形を思いつくことができる。本発明はかかる変更及び変形の全てを、添付の特許請求の範囲又はその等価物の範囲にある限りにおいて、含んで構築されるということを意図している。
【図面の簡単な説明】
【００６１】
【図１】健康管理システムの例の主要部品を示す図である。
【図２】健康管理システムの例の詳細部分を示す図である。
【図３】図１の健康管理システムの例の部品の、適切な比較的集中化した変形を示す図である。
【図４】図１の健康管理システムの例の部品の、適切な比較的脱集中化した変形を示す図である。
【図５】ありうる教育的な目標モジュールの流れを示す図である。
【図６】生命徴候の測定のための目標モジュールの例の内容の流れを示す図である。
【図７】目標モジュールの不活動下位部分の内容の流れを示す図である。
【図１】
2009533729.tif 000002
【図２】
2009533729.tif 000003
【図３】
2009533729.tif 000004
【図４】
2009533729.tif 000005
【図５】
2009533729.tif 000006
【図６】
2009533729.tif 000007
【図７】
2009533729.tif 000008